(57)【要約】  壁戸棚のための、外れ防止システムによる隠された吊り下げ用ブラケットであって、戸棚（２９）が、スクリュー（２１）からなる着脱可能な往復式拘束手段が、前記フック（１１）と前記支持体（１７）との間に想定され、前記フック（１１）上に螺合され、そして前記支持体（１７）との干渉に好適である形式の吊り下げ用ブラケット装置の歯（１５）を有するフック（１１）によって壁（１８）に固定される支持体（１７）に引っ掛けられる、吊り下げ用ブラケット。本発明により、スクリュー（２１）が、前記フック（１１）の一部を形成し、その中に組み込まれる部分（２７）に配置されるねじ切りされたシート（２６）に螺合され、前記部分（２７）が、前記歯（１５）に対して、実質的に対向し、完全にはオフセットされず、前記スクリュー（２１）の先端または端部（２３）が、前記支持体（１７）から直接折り曲げられる水平フラップ（縁）（１６Ａ）と係合する。【選択図】図１
2017532072.tif 000002
【特許請求の範囲】
【請求項１】
壁戸棚のための、外れ防止システムによる隠された吊り下げ用ブラケットであって、
戸棚（２９）が、前記フック（１１）と前記支持体（１７）との間で作動する着脱可能な往復式拘束手段を備える歯（１５）を有するフック（１１）によって壁（１８）に固定される支持体（１７）に引っ掛けられ、
前記往復式拘束手段が、前記フック（１１）上に螺合され、前記支持体（１７）に干渉するスクリュー（２１）を備え、
前記スクリュー（２１）が、前記フック（１１）の一部を形成し、その中に組み込まれる部分（２７）に配置されるねじ切りされたシート（２６）に螺合され、
前記部分（２７）が、前記歯（１５）に対して、実質的に対向し、完全にはオフセットされず、
前記スクリュー（２１）の先端または端部（２３）が、前記支持体（１７）から直接折り曲げられる水平フラップ（縁）（１６Ａ）と係合することを特徴とする、吊り下げ用ブラケット。
【請求項２】
前記部分（２７）が、前記歯（１５）に対して、略同一の高さ（ｑ）で実質的に対向し、完全にオフセットされないことを特徴とする、請求項１に記載の吊り下げ用ブラケット。
【請求項３】
前記水平フラップ（１６Ａ）の折りたたみの結果として自動的に前記支持体（１７）から形成される側方端止め（１６Ｂ）を備えることを特徴とする、請求項１に記載の吊り下げ用ブラケット。
【請求項４】
前記歯（１５）が前記支持体（１７）の対応する部分（１６）に引っ掛けられ、
前記部分（１６）が前記壁（１８）とともに、前記歯（１５）が収容されるチャンネル（２０）を画定し、前記水平フラップ（１６Ａ）が前記部分（１６）から折り曲げられることを特徴とする、請求項１に記載の吊り下げ用ブラケット。
【請求項５】
前記支持体（１７）が、作動状態にあるとき、略水平に延在する上部翼（ＡＳ）を有し、前記部分（１６）が前記上部翼から垂直に延在し、前記水平縁（１６Ａ）が前記部分（１６）から折り曲げられることを特徴とする、請求項１〜４のうちいずれか一項に記載の吊り下げ用ブラケット。
【請求項６】
前記支持体（１７）が「Ｃ」字形部分を有することを特徴とする、請求項１〜５のうちいずれか一項に記載の吊り下げ用ブラケット。
【請求項７】
前記スクリュー（２１）が、前記フラップ（１６Ａ）の下で、前記翼（ＡＳ）より実質的に上に位置する平面（Ｐ）上にあることを特徴とする、請求項５または６に記載の吊り下げ用ブラケット。
【請求項８】
それぞれのリードスクリュー（１３及び１４）による、深さ（水平）の調節機構体と、高さ（垂直）の調節機構体とを備えることを特徴とする、請求項１に記載の吊り下げ用ブラケット。
【請求項９】
請求項１〜８のうちいずれか一項に記載の隠された吊り下げ用ブラケットと、前記壁（１８）に固定される支持体（１７）との組み合わせ。
【発明の詳細な説明】
【技術分野】
【０００１】
本発明は、壁に固定された支持体、一般に、好適に形づくられた金属棒またはプレートに引っ掛けられる、壁戸棚のための万全の外れ防止システムを有する隠された吊り下げ用ブラケットに関するものである。
【背景技術】
【０００２】
当業者にはよく知られているように、壁に戸棚を拘束するためのシステムは、戸棚のライニングの後方に設置される隠された吊り下げ用ブラケット装置の使用を想定している。前記吊り下げ用ブラケットは、壁に固定される上記の棒またはプレートに自由に引っ掛けることができるフックを備える。
【０００３】
２つの調節機構体は一般に、吊り下げ用ブラケットの深さ（水平）及び高さ（垂直）の調節のための、それぞれのリードスクリューを備えた前記フックと協働する。
【０００４】
この形式の隠された吊り下げ用ブラケットは、たとえば、特許文献１及び特許文献２、ならびに特許文献３から知られており、それらは、任意のさらなる説明のために参照し、本明細書の構成要素であると考えなければならない。
【先行技術文献】
【特許文献】
【０００５】
【特許文献１】欧州特許第１５４９１７７号明細書
【特許文献２】欧州特許第２２１９４９５号明細書
【特許文献３】欧州特許出願公開第２０１１７１２４８１号明細書
【発明の概要】
【発明が解決しようとする課題】
【０００６】
引っ掛けられた戸棚に上向きの力が加えられると、これは支持体から外れて落下し、物体だけでなく何よりも人に、深刻な損害を引き起こす可能性がある。
【０００７】
比較的床から低い高さに壁戸棚を取り付ける習慣がますます増加しているため、この可能性は現在、さらに高くなっており、上記のように、これは特に子供による、偶発的な外れのリスクを増大させる。
【０００８】
さらに、多くの国において、壁戸棚における偶発的な外れ防止システムの提供を必要とする安全規制が施行されている、または施行される見込みである。
【０００９】
２０１０年３月５日に同じ出願人により出願された欧州特許出願公開第Ａ１０７０８１４７．３号明細書は、壁戸棚に加えられる上向きの力によって引き起こされる、その支持体から壁戸棚が偶発的に外れることを避けるための、上述の問題に対する非常に申し分のない解決方法を提案している。
【００１０】
説明のために参照し、本明細書の構成要素であると考えなければならない欧州特許出願公開第Ａ１０７０８１４７．３号明細書によると、戸棚が吊り下げ用ブラケット装置のフックによって壁に固定される外れ防止システムが、壁戸棚のために提案されており、それは、着脱可能な往復式拘束手段が、前記フックと前記支持体との間に想定されることを特徴とする。
【００１１】
同じ戸棚の肩部に対して横向きであり、上向きの垂直力と合成される可能性もある水平力による、壁戸棚のその支持体からの偶発的な外れを防止することも非常に望ましく、必要である。
【００１２】
２０１０年４月１５日に同じ出願人により出願された欧州特許出願公開第Ａ１４１６４７３０．５号明細書は、同じ戸棚の肩部に対して横向きであり、上向きの垂直力と合成される可能性もある水平力によって引き起こされる、その支持体から戸棚が偶発的に外れることを避けるための、上記の問題に対する非常に申し分のない解決方法を提案している。
【００１３】
説明のために参照し、本明細書の構成要素であると考えなければならない欧州特許出願公開第Ａ１４１６４７３０．５号明細書によると、吊り下げ用ブラケット装置のフックによって壁に固定される支持体に戸棚が引っ掛けられる壁戸棚のための外れ防止システムが、提案されている。
【００１４】
前記外れシステムは、着脱可能な往復式拘束手段が前記フックと前記支持体との間に想定される形式である。
【００１５】
前記着脱可能な往復式拘束手段は、前記フック上に螺合されて、前記支持体との干渉に好適なビードからなる。システムは、側方ブロックまたはストップ要素が、前記戸棚に作用する水平力によって引き起こされる同じビードの側方移動に対して前記ビードと協働することを特徴とする。
【００１６】
欧州特許出願公開第Ａ１０７０８１４７．３号明細書及び欧州特許出願公開第Ａ１４１６４７３０．５号明細書の教示によって作製される目に見える吊り下げ用ブラケットは、完全に申し分のない結果を与えており、本発明の目的は、さらに簡単に構成され、壁に対する戸棚の取付けを複雑にしない外れ防止システムを備えた隠された吊り下げ用ブラケットを提供することである。
【００１７】
戸棚の壁への取付けは、外れ防止システムのビードが、そのスクリュー経路の間で、壁に固定される支持体（棒またはプレート）の固定ジベルまたはスクリューの頭部に遭遇する可能性があるという事実によって複雑になる可能性がある。
【００１８】
この場合、壁に固定される棒またはプレートとビードが正確に相互作用できないため、外れ防止システムは有効にならない。
【００１９】
したがって、本発明のさらなる目的は、そのような出来事の可能性を排除することである。
【００２０】
本発明の別の目的は、容易に解放できる、すなわち、必要な場合、戸棚の容易かつ迅速な壁からの取り外しを可能にする外れ防止システムを有する隠された吊り下げ用ブラケットを提供することである。
【課題を解決するための手段】
【００２１】
上述の目的は、本発明に従い、添付の特許請求の範囲の主クレーム及び従属クレームで定義される万全の外れ防止システムを有する隠された吊り下げ用ブラケットによって達成される。
【００２２】
本発明の構造的及び機能的特性、ならびに既知の技術に対するその利点は、添付図面を参照して、添付の説明から容易に理解することができ、それは本発明の革新的な原理に従って製作される壁戸棚のための外れ防止システムを有する隠された吊り下げ用ブラケットの２つの可能な例示する実施形態を示す。
【図面の簡単な説明】
【００２３】
【図１】図１は、壁に固定される支持棒に引っ掛ける段階の戸棚を有する本発明による外れ防止システムを有する隠された吊り下げ用ブラケットの第１の実施形態を示す断面斜視図である。
【図２】図２は、図１の戸棚の平面断面における詳細である。
【図３】図３は、図１の戸棚の縦断面における詳細である。
【図４】図４は、壁に固定された棒に引っ掛けられた吊り下げ用ブラケットを示す図１に類似の斜視図であるが、外れ防止システムはまだ有効ではない（作動していない）。
【図５】図５は、図４の戸棚の平面断面における詳細である。
【図６】図６は、図４の戸棚の縦断面における詳細である。
【図７】図７は、戸棚の壁に対して有効なブロック位置における外れ防止システムを示す図４に類似の図である。
【図８】図８は、戸棚の壁に対して有効なブロック位置における外れ防止システムを示す図５に類似の図である。
【図９】図９は、戸棚の壁に対して有効なブロック位置における外れ防止システムを示す図６に類似の図である。
【図１０】図１０は、既知の技術による外れ防止システムを示す縦断面であり、ブロックスクリューは、戸棚が引っ掛けられるプレート自体の壁に固定するスクリューまたはジベルの頭部と干渉するため、運用可能になることができない。
【発明を実施するための形態】
【００２４】
まず図面のうちの図１〜３を参照すると、１０は全体として、一般に知られている、たとえば、欧州特許第１５４９１７７号明細書及び欧州特許第２２１９４９５号明細書に記載されている形式の隠された吊り下げ用ブラケット装置を示し、それらは、既知の形式の吊り下げ用ブラケットの非限定的な例として、任意の必要な説明のために参照し、本明細書の構成要素であると考えなければならない。
【００２５】
吊り下げ用ブラケット１０は、ベース１２から延在する可動フック１１を備える。
【００２６】
フック１１の深さ（水平）及び高さ（垂直）の位置の２つの調節機構体（既知）は、それぞれのリードスクリュー１３、１４によって、ベース１２上に取り付けられる。
【００２７】
フック１１は、前部で、ジベル１９によって壁１８に固定される金属棒１７の対応する部分１６に引っ掛けられることになっている歯１５で終了する。
【００２８】
図面から明確に参照できるように、棒１７の部分１６は、壁１８、及び歯１５が収容されるチャンネル２０で画定される。
【００２９】
棒１７は好ましくは、そして一例として、上記部分１６が垂直に延在する上部翼ＡＳからの「Ｃ」字形部分を有する。
【００３０】
しかし、棒１７は、示される「Ｃ」字形部分と異なる部分、たとえば、「Ｃ」の下部翼ＡＩがない、または他の部分である部分を有することができる。
【００３１】
本発明による外れ防止システムは、フック１１の歯１５及び棒１７と協働し、図１〜９に示される実施形態において、ねじ切りされた部分２２と、先端２３と、操作ツール、たとえばネジ回し２５のための形づくられた頭部２４とを備えるスクリュー２１からなる。
【００３２】
前記スクリュー２１は、フック１１の一部を形成し、その中に組み込まれる部分２７上に形成されるねじ切りされたシート２６に螺合される。
【００３３】
スクリュー２１は、歯１５に対して、略同一の高さ「ｑ」で実質的に対向し、完全にはオフセットされない。
【００３４】
換言すれば、それは、スクリュー２１がフック１１自体のフック領域を少なくとも部分的に「横切る」ことを意味する。図面で明確に参照できるように、（シート２６が設けられる）前記フック部分２７は、歯１５と実質的に向き合い、それによって、フック形状自体を形成し、その結果、作動状態では支持体１７の一部が挿入されるフック領域を、部分的に区切る。
【００３５】
本発明によると、スクリュー２１の先端２３（末端部）は、棒１７の部分１６から直接折り曲げられる水平フラップ（縁）１６Ａと係合する。
【００３６】
このように、壁戸棚を水平に移動させる場合に、フック１５を守り、ブロックする側方端止め１６Ｂが、追加のコストがかかる作業なしに、そして無駄なく、自動的に形成される。
【００３７】
上記のように製作される吊り下げ用ブラケット装置１０は、部分的に２９で示され、肩部３０と、上部３１と、ライニング３２とを備える壁戸棚に固定される。
【００３８】
より詳細には、前記戸棚２９の（左右の）上後角部に対応して、一方のみ示されている前記吊り下げ用ブラケット１０の２つは、ライニング３２の背後に固定される。
【００３９】
本発明による外れ防止システムの機能は、図１〜９の作動順序で明確に示され、簡潔には以下の通りである。
【００４０】
戸棚は、スクリュー２１が図１〜６に示される引き抜かれた非作動位置にあり、フック１１の歯１５をチャンネル２０に挿入する（図４〜６）ことによって、壁１８に引っ掛けられる。
【００４１】
このように、戸棚２９の重量により、歯１５は棒１７の部分１６で係合する（図４〜６）。
【００４２】
そのため、戸棚２９が設置されると、先端または終端２３が棒１７の水平フラップ１６Ａによって形成されるアンダカットと係合するように、スクリュー２１がネジ回し２５によって、図７〜９の作動前方位置に螺合される。
【００４３】
システムが有効になると、スクリュー２１は一般に、前記フラップ１６Ａの下で、前記翼ＡＳ（図９）より実質的に上に位置する平面Ｐ上にある。
【００４４】
このように、上向きの力が戸棚２９に偶発的に加えられる場合、スクリュー２１とフラップ１６Ａとの間の干渉が、棒１７の部分１６からの歯１５の外れを防止することは明らかである。
【００４５】
さらにまた、棒１７のチャンネル２０から歯１５を解放し、戸棚を落下させる可能性がある偶発的な横力を受けるとき、歯１５が設置される側方ブロック止め具１６Ｂの存在により、戸棚２９の落下が防止される。
【００４６】
必要な場合、逆に、棒１７の部分１６からの歯１５の望ましい解放は、図１〜６の引き抜かれた非作動位置に戻すように、スクリュー２１を単にゆるめることによって得られる。
【００４７】
したがって、説明の導入部で言及された目的、特に、外れ防止システムのビードまたはスクリュー２１が、そのスクリュー経路の間で、図１０に示されるように、壁で、支持体１７（棒またはプレート）の固定ジベルまたはスクリュー１９の頭部に遭遇することを防止する非常に重要な目的が達成される。遭遇した場合は、ビードの末端部が「Ｃ」の上部翼ＡＳによって画定される支持体１７のアンダカットと係合される可能性はないため、同じシステムが無効になってしまう。
【００４８】
この点において、吊り下げ用ブラケットは、耐荷重性の明らか理由のために、支持体の固定ジベルまたはスクリュー１９より上で壁に引っ掛けられることに留意されたい。
【００４９】
この欠点は、たとえば欧州特許出願公開第Ａ１４１６４７３０．５号明細書からなる、既知の技術による外れ防止システムで生じる可能性がある。
【００５０】
本発明の別の目的は、上記のように、前記隠された吊り下げ用ブラケットと支持体とを組み合わせることである。
【００５１】
本発明の保護範囲は、添付の特許請求の範囲によって定められる。
【図１】
2017532072.tif 000003
【図２】
2017532072.tif 000004
【図３】
2017532072.tif 000005
【図４】
2017532072.tif 000006
【図５】
2017532072.tif 000007
【図６】
2017532072.tif 000008
【図７】
2017532072.tif 000009
【図８】
2017532072.tif 000010
【図９】
2017532072.tif 000011
【図１０】
2017532072.tif 000012
【国際調査報告】
2017532072.tif 000013
2017532072.tif 000014